(57)【要約】【課題】  従来の袖瓦は、風雨の吹き込みによる煽り・浮揚、また剥落の回避には一定の効果は認められるが、上り一段ごとに一枚の袖瓦を用い二枚重ねの葺設に留まっている。また立ち上がり部を備えておらず、上下方の袖瓦の間に平板瓦を差し入れる錣状の葺設には対応できない。尚、破風側面に露呈する瓦の側端面を隠蔽する手段がなく、美観上・耐風雨対策上も好ましくない。  【構成】  平板瓦を錣状に葺設した屋根の破風に使用される袖瓦であって、本体部の一方側に垂れ部を形成し、該垂れ部の尻側には切り欠きを残して立ち上がり部を形成した袖瓦を、下段の袖瓦と仮定した状態において、下段の袖瓦の上面に平板瓦を介し同一構成の上段袖瓦を葺設し、下段の袖瓦の立ち上がり部尻側端に上段袖瓦の垂れ部頭側端が衝止し、また上段袖瓦の頭側端が下段の袖瓦の立ち上がり部尻側端及び／又は平板瓦の頭側端に略整合する施工法である。【選択図】          図２
2005220701.tif 000002
【特許請求の範囲】
【請求項１】
平板瓦を錣状に葺設した屋根の妻側端（破風）に使用される袖瓦であって、
この袖瓦に平板状の本体部を形成し、この本体部の一方側端に垂れ部を形成し、この垂れ部を前記本体部の頭側から尻側に亘り形成するとともに、この垂れ部尻側端に葺き合わせ重なり代に対応する切り欠き部を形成し、またこの切り欠き部より前記本体部の略中央までこの本体部の表面より突出した立ち上がり部を形成し、さらにこの本体部の裏面尻側に横棧安定凹部を形成した構成であり、またこの袖瓦を下段の袖瓦と仮定した状態において、この下段の袖瓦には、平板瓦を介して同じ構成の上段の袖瓦が葺設されるとともに、この上段の袖瓦の頭側端が前記下段の袖瓦の立ち上がり部の尻側端及び／又は前記平板瓦の頭側端に略整合することを特徴とした袖瓦。
【請求項２】
請求項１に記載した袖瓦と、平板瓦を交互に葺き合わせる千鳥葺き平板瓦用袖瓦施工法であって、
この千鳥葺き平板瓦用袖瓦施工法は、下段の袖瓦を葺設し、この下段の袖瓦表面の略半分を隠蔽するように平板瓦を重ね合わせ葺設し、この葺設の際に、この下段の袖瓦の立ち上がり部の内側面に前記平板瓦の側端面が衝止して、平板瓦の表面の略半分の重なり代を確保し、かつこの立ち上がり部の頭側端は前記平板瓦の頭側端を平面視して略同一線上に位置するように葺設した後に、この平板瓦の上面に上段の袖瓦を葺設し、この葺設に際し、この上段の袖瓦の頭側端が下段の袖瓦の垂れ部尻側に形成した葺き合わせ重なり代に対応する切り欠き部に嵌り合うとともに、当該上段の袖瓦が前記平板瓦の表面の略半分を隠蔽するように重ね合わせ葺設し、この上段の袖瓦の頭側端が、前記下段の葺き合わせ重なり代に対応する切り欠き部の尻側端面と平面視して略同一線上に位置するように葺設したことを特徴とした千鳥葺き平板瓦用袖瓦施工法。
【発明の詳細な説明】
【技術分野】
【０００１】
本発明は、袖瓦と、この袖瓦を使用した千鳥葺き平板瓦用袖瓦施工法に関する。
【背景技術】
【０００２】
従来、この種の平板瓦（略偏平な板状）を利用した錣状（平板瓦の有効面の略半分を隠蔽する三枚重ね方式）に葺設した切妻屋根において、その破風側端面は平板瓦の端面が剥きだし状態になり、次のような問題点がある。（イ）破風に袖瓦が施工されず、破風に吹き付けられる雨水は平板瓦の葺き合わせ側端面から内方に回り込む蓋然性が高く、雨仕舞いに課題を残す。（ロ）平板瓦の側端面（図１参照）が露呈しており、美観上好ましくない構成である。従って、錣状の葺設に際し、破風側面を袖瓦で被覆し、風雨からの防御と美観の整備を図る発明、考案等が要望されてきた。
【０００３】
そこで、この要請の一部に関する改良提案として、次のような先行文献が挙げられる。即ち、特開２０００−３２００７５の「きき足調整可能な平板中付け袖瓦」（以下文献（１）とする）である。この発明は、平板中付け袖瓦本体の一側面内方に合端口を有する中付け袖垂れを傾斜して設け、この中付け袖垂れの頭側端部がその尻側端部より外側に偏倚した平板中付け袖瓦であって、この中付け袖垂れの尻側に、同じ構成の他の平板中付け袖瓦の中付け袖垂れの頭側端部を重ね葺きする構成である。この発明は、中付け袖垂れの葺き合わせ部位からの風雨の浸入防止が図られること、この中付け袖垂れの下端が、屋根地と略平行な一線を画す形態を有し、端正な美観を呈し得ること等の特徴がある。
【０００４】
【特許文献１】特開２０００−３２００７５
【発明の開示】
【発明が解決しようとする課題】
【０００５】
文献（１）は、雨仕舞いの向上と美観の整備には、一定の効果は認められる。しかし、この袖瓦の構成では、通常の二枚重ねの葺設に利用できる構造に留まっており、本発明が意図する錣状（平板瓦の有効面の略半分を隠蔽する三枚重ね方式）の葺設施工への対応は困難である。また本発明が意図する上下方の袖瓦の中間に平板瓦を設け、この上下方の袖瓦を係止できる構成は備えていない。
【課題を解決するための手段】
【０００６】
請求項１の発明は、平板瓦を錣状に葺設した屋根において、本体部の一方側端に形成した垂れ部及びこの垂れ部を上方に延設し本体部表面尻側に形成した立ち上がり部を備えた袖瓦により、袖瓦と平板瓦とを交互に錣状に葺き上げた破風側露出端面を隠蔽することで、風雨の浸入を防止し、美観を整えること等を意図する。また本発明は、上下段の袖瓦の間に平板瓦を挿入する構成を採用することで錣状に葺設した屋根を確保することを意図する。
【０００７】
請求項１は、平板瓦を錣状に葺設した屋根の妻側端（破風）に使用される袖瓦であって、
この袖瓦に平板状の本体部を形成し、この本体部の一方側端に垂れ部を形成し、この垂れ部を前記本体部の頭側から尻側に亘り形成するとともに、この垂れ部尻側端に葺き合わせ重なり代に対応する切り欠き部を形成し、またこの切り欠き部より前記本体部の略中央までこの本体部の表面より突出した立ち上がり部を形成し、さらにこの本体部の裏面尻側に横棧安定凹部を形成した構成であり、またこの袖瓦を下段の袖瓦と仮定した状態において、この下段の袖瓦には、平板瓦を介して同じ構成の上段の袖瓦が葺設されるとともに、この上段の袖瓦の頭側端が前記下段の袖瓦の立ち上がり部の尻側端及び／又は前記平板瓦の頭側端に略整合することを特徴とした袖瓦である。
【０００８】
請求項２の発明は、垂れ部及び立ち上がり部を備えた袖瓦と平板瓦とを利用して錣状に葺設した屋根を施工できる千鳥葺き平板瓦用袖瓦施工法の提供を意図する。また、本発明は、破風側からの風雨の吹き込み防止と、破風面の美観を整えること、または、桁行き方向の横ズレ抑止が図られる千鳥葺き平板瓦用袖瓦施工法の提供を意図する。
【０００９】
請求項２は、請求項１に記載した袖瓦と、平板瓦を交互に葺き合わせる千鳥葺き平板瓦用袖瓦施工法であって、
この千鳥葺き平板瓦用袖瓦施工法は、下段の袖瓦を葺設し、この下段の袖瓦表面の略半分を隠蔽するように平板瓦を重ね合わせ葺設し、この葺設の際に、この下段の袖瓦の立ち上がり部の内側面に前記平板瓦の側端面が衝止して、平板瓦の表面の略半分の重なり代を確保し、かつこの立ち上がり部の頭側端は前記平板瓦の頭側端を平面視して略同一線上に位置するように葺設した後に、この平板瓦の上面に上段の袖瓦を葺設し、この葺設に際し、この上段の袖瓦の頭側端が下段の袖瓦の垂れ部尻側に形成した葺き合わせ重なり代に対応する切り欠き部に嵌り合うとともに、当該上段の袖瓦が前記平板瓦の表面の略半分を隠蔽するように重ね合わせ葺設し、この上段の袖瓦の頭側端が、前記下段の葺き合わせ重なり代に対応する切り欠き部の尻側端面と平面視して略同一線上に位置するように葺設したことを特徴とした千鳥葺き平板瓦用袖瓦施工法である。
【発明の効果】
【００１０】
請求項１の発明は、平板瓦を錣状に葺設した屋根の妻側端（破風）に使用される袖瓦であって、
この袖瓦は平板状の本体部を備え、本体部の一方側端には、頭側から尻側に亘り延設された垂れ部を形成し、この垂れ部には葺き合わせ重なり代に対応する切り欠き部を形成し、また垂れ部の切り欠き部より本体部の略中央まで本体部の表面より突出した立ち上がり部を形成し、また本体部の裏面尻側に横棧安定凹部を形成した構造であり、またこの袖瓦を下段の袖瓦と仮定した状態において、下段の袖瓦には、平板瓦を介して同じ構造の上段の袖瓦が葺き設されるとともに、上段の袖瓦の頭側端が下段の袖瓦の立ち上がり部の尻側端及び／又は前記平板瓦の頭側端に略整合する袖瓦である。
【００１１】
従って、請求項１は、平板瓦を錣状に葺設した屋根において、本体部の一方側端に形成した垂れ部及びこの垂れ部を上方に延設し、本体部表面尻側に形成した立ち上がり部を備えた袖瓦により、袖瓦と平板瓦とを交互に錣状に葺き上げた破風側露出端面を隠蔽し、風雨の浸入防止を図ること、美観を整えること等の効果がある。そして、また本発明は、上下段の袖瓦の間に平板瓦を挿入する構成が可能となり、錣状に葺設した屋根を確保できる実益がある。
【００１２】
請求項２の発明は、請求項１に記載した袖瓦と、平板瓦を交互に葺き合わせる千鳥葺き平板瓦用袖瓦施工法であって、
この千鳥葺き平板瓦用袖瓦施工法は、下段の袖瓦を葺設し、この下段の袖瓦の表面の略半分を隠蔽するように平板瓦を重ね合わせ葺設する。この際に、下段の袖瓦の立ち上がり部の内側面に平板瓦の側端面を衝止し、下段の袖瓦の立ち上がり部の頭側端と平板瓦の頭側端が平面視して略同一線上に位置するように葺設する。その後、平板瓦の上面に上段の袖瓦を葺設する。この際、下段の袖瓦の葺き合わせ重なり代に対応する切り欠き部に上段の袖瓦の垂れ部頭側端を嵌め込み衝止するとともに、平板瓦の表面の略半分を隠蔽するように上段の袖瓦を重ね合わせ葺設する千鳥葺き平板瓦用袖瓦施工法である。
【００１３】
従って、請求項２は、垂れ部及び立ち上がり部を備えた袖瓦と平板瓦とを利用して錣状に葺設した屋根を施工できる千鳥葺き平板瓦用袖瓦施工法を提供できる効果がある。そして、本発明は、破風側からの風雨の吹き込み防止と、破風面の美観が整備される。また、袖瓦の葺き合わせ重なり代に対応する切り欠き部を利用して、上下段の袖瓦相互間の連携が図られ流れ方向のズレ防止の効果がある。そして、袖瓦の立ち上がり部で平板瓦の横ズレが規制されることにより、屋根の耐震性能が向上する実益がある。さらに、この袖瓦は平場二段分の平板瓦に対応しており、平板瓦の半数で間に合う（従来工法は、一段毎に１枚の袖瓦が使用される。）ことになり経済効果は重大である。
【発明を実施するための最良の形態】
【００１４】
本発明の一例を説明する。
【００１５】
先ず、全幅袖瓦１について説明すると、この全幅袖瓦１は半幅平板瓦１０−１及び全幅平板瓦１０と併用し、錣状に葺設した切妻屋根Ｒの破風Ｒ１に使用される。その構成は、正面視して略偏平状を呈する本体部２と、この本体部２の一方側端２ａの頭側２ｂから尻側２ｃに亘り垂れ部３を形成する。また、この垂れ部３の尻側２ｃに葺き合わせ重なり代Ｘに対応する切り欠き部４を、この垂れ部３の尻側２ｃより前記本体部２の働き丈Ｗの１／２に相当する略中央部に亘り表面１００より上方に突設した立ち上がり部５を形成する。さらに、本体部２の裏面１０１の尻側２ｃに横棧安定用凹部７と、係止突条９を形成する。図中、６は釘孔を、８は本体部２の表面１００に設けた水返し突条を示す。尚、図４に示す如く、本体部２の全長は、葺き合わせ重なり代Ｘ＋働き丈Ｗ（働き丈Ｗは、有効きき丈Ｙ×２倍）となる。
【００１６】
そして、全幅平板瓦１０は、正面視して略偏平状を呈し、表面１０００には水返し突条８００と釘孔６００を、裏面１００１には横棧安定用凹部７００と係止突条９００をそれぞれ形成する。図中、Ｒ４は、横棧を示す。この横棧Ｒ４は全幅袖瓦１、半幅袖瓦１−１及び全幅平板瓦１０、半幅平板瓦１０−１の有効きき丈Ｙ寸法に対応する上り方向の割り付け寸法により屋根地に固定される。また、２０は、棟瓦を示す。
【００１７】
尚、図１２の例は、半幅袖瓦１−１の本体部２−１の有効半幅Ｚ−１が全幅平板瓦１０の有効全幅１０Ｚの略１／２相当であり、上段には全幅平板瓦１０が配置される。（以下、Ａ工法とする）
【００１８】
また、図１３の例は、全幅袖瓦１の本体部２の有効全幅Ｚが、全幅平板瓦１０の有効全幅１０Ｚと略同一であり、重ね葺きされる上段には半瓦１０−１（有効幅は平板瓦１０の略１／２）が配置される。（以下、Ｂ工法とする）。
【００１９】
次に、錣状に葺設する切妻屋根における千鳥葺き平板瓦用袖瓦施工法について、順次説明する。
【００２０】
先ず、桁行き方向の地割りは、軒の全長に左右の傍軒の出を加算した寸法を、全幅平板瓦１０の有効全幅１０Ｚ寸法の整数倍に略等しくなるように設定するのが望ましい。また、上り方向の地割りは、全幅袖瓦１、全幅平板瓦１０等の有効きき丈Ｙ（働き丈Ｗの略１／２）寸法の略整数倍になるように軒の出寸法を調整するのが望ましい。これらの設定が全うされた場合には、縦横の地割りが簡便になり、施工現場における瓦の寸法調整（切断と端面補修）作業が省略され、より安定した緊結が達成される。さらに残材の発生もなくなる効果は重要である。
【００２１】
なお、これらの全幅・半幅袖瓦１・１−１及び全幅・半幅平板瓦１０・１０−１は、それぞれ横棧Ｒ４に載架し、横棧安定凹部７、７００及び係止突条９、９００を利用して、釘孔６００を介して屋根地に緊結される。この工程が確実に施工されれば、上り方向の有効きき丈が確保され、同時に、軒端Ｒ２の尖端ラインの整合、並びに全幅・半幅袖瓦１・１−１の立ち上がり部５の軒側端ラインＲ３と全幅・半幅平板瓦１０・１０−１の頭側２ｂ端ラインとの整合は、自ずと達成される。
【００２２】
Ａ工法（図１２）＝先ず、「一段目」の施工は、軒端Ｒ２の左右何れかの角に、半幅袖瓦１−１（左又は右袖瓦）を葺設する。ついで、他方の角に向かって全幅平板瓦１０を順次葺き詰め、最後に他方の角に半幅袖瓦１−１（右又は左袖瓦）を葺設し一段目が終了する。
【００２３】
続いて、「二段目」の施工は、一段目の左右の角に葺設された半幅袖瓦１−１（左右の袖瓦）の立ち上がり部５の内側に全幅平板瓦１０を葺き詰めて、一段目との千鳥葺きが達成される。この場合、全幅平板瓦１０は、一側端を、半幅袖瓦１−１（左又は右袖瓦）の立ち上がり部５の内面５ａに当接し、頭側２ｂ端を、立ち上がり部５の軒側端ラインＲ３に整合させ葺設し二段目を終了する。そして、「三段目」の施工は、一段目と同様に、左右何れかの破風に半幅袖瓦１−１（左又は右袖瓦）を葺設する。ついで、他方の破風に向かって全幅平板瓦１０を順次葺き詰めて、二段目との千鳥葺きが構成される。最後に他方の破風に半幅袖瓦１−１（右又は左袖瓦）を葺設し三段目が完了する。この場合、三段目の左右の半幅袖瓦１−１の垂れ部３の頭側２ｂ端が、一段目の左右の半幅袖瓦１−１の垂れ部３の尻側の切り欠き部４を利用して、立ち上がり部５の尻側端面に衝止することにより、二段目に葺設された全幅平板瓦１０の有効きき丈Ｙが確保される。続いて、「四段目」以降の施工は、二段目、三段目の繰り返しで棟際まで葺き上り錣状の千鳥葺き屋根Ｒが構築される。
【００２４】
このＡ工法の要点は、「一段目」は、左右の半幅袖瓦１−１の間に全幅平板瓦１０を葺設する。「二段目」は、一段目の左右の半幅袖瓦１−１の立ち上がり部５の内面５ａの間に、全幅平板瓦１０を当接し重ね合わせて全面に葺き詰める。「三段目」は、二段目の全幅平板瓦１０の上面に、両端に半幅袖瓦１−１を、中間に全幅平板瓦１０を重ね葺きする。この際、両端の半幅袖瓦１−１の垂れ部３の頭側２ｂ端が一段目の半幅袖瓦１−１の葺き合わせ重なり代に対応する切り欠き部４を利用して立ち上がり部５の尻側端面に衝止する。さらに、三段目の半幅袖瓦１−１の頭側が、一段目の半幅袖瓦１−１の立ち上がり部５の尻側２ｃ及び／又は全幅平板瓦１０の頭側２ｂに略整合する。
【００２５】
従って、この一連の施工で、破風際の列は、軒端Ｒ２の角から半幅袖瓦１−１・全幅平板瓦１０・半幅袖瓦１−１・全幅平板瓦１０の順で葺き上る構成となる。この例では、左右の半幅袖瓦１−１を用意すれば、全幅平板瓦１０のみで対応が可能となり経済的である。ただ、半幅袖瓦１−１は、全幅袖瓦１に比し本体部２−１が狭く不安定さは否定できないが、緊結方法を検討すれば充分対処できる。
【００２６】
Ｂ工法（図１３）＝全幅袖瓦１及び半幅平板瓦１０−１、全幅平板瓦１０を用いる点が、Ａ工法と異なる工法である。先ず、「一段目」の施工は、軒端Ｒ２の両角に全幅袖瓦１（左右の袖瓦）を葺設し、その内側全面に全幅平板瓦１０を葺き詰めて一段目を終了する。続いて「二段目」の施工は、一段目の左右の全幅袖瓦１の立ち上がり部５の内面５ａに当接し半幅平板瓦１０−１を両側に葺設し、その内側全面に全幅平板瓦１０を葺き詰めて二段目が終了する。この場合、半幅平板瓦１０−１及び全幅平板瓦１０の頭側２ｂ端が一段目全幅袖瓦１の立ち上がり部５の軒側端ラインＲ３に略整合していることの確認が必要である。そして「三段目」の施工は、二段目の上面に、両端の全幅袖瓦１（左右の袖瓦）を葺き重ね、その内側全面に全幅平板瓦１０を葺き詰めて三段目を終了する。この場合、一段目の全幅袖瓦１の尻側２ｃの切り欠き部４に、三段目の全幅袖瓦１の垂れ部３の頭側２ｂ端を嵌め合わせることにより、破風際のラインが整う。続いて、「四段目」以降の施工は、二段目、三段目の繰り返しで棟際まで葺き上り錣状の千鳥葺き屋根Ｒが構築される。
【００２７】
このＢ工法の要点は、「一段目」は、両角の全幅袖瓦１−１の間に全幅平板瓦１０を葺設する。「二段目」は、一段目の左右の全幅袖瓦１−１の立ち上がり部５の内面５ａの間において、左右の破風に半幅平板瓦１０−１を当接し重ね葺きし、その内側には全幅平板瓦１０を葺き詰める。「三段目」は、二段目の半幅平板瓦１０−１及び全幅平板瓦１０の上面に、両端に全幅袖瓦１を、中間に全幅平板瓦１０を重ね葺きする。この際、両端の全幅袖瓦１の垂れ部３の頭側２ｂ端が一段目の全幅袖瓦１の葺き合わせ重なり代に対応する切り欠き部４を利用して立ち上がり部５の尻側端面に衝止する。さらに、三段目の全幅袖瓦１の頭側が、一段目の全幅袖瓦１の立ち上がり部５の尻側２ｃ及び／又は全幅平板瓦１０の頭側２ｂに略整合する。
【００２８】
従って、この一連の施工で、破風際の列は、軒端Ｒ２の角から全幅袖瓦１・半幅平板瓦１０−１・全幅袖瓦１・半幅平板瓦１０−１の順で葺き上る構成となる。この例では、全幅袖瓦１の左右と、半幅平板瓦１０−１（半瓦）が必要で煩雑になるが、全幅袖瓦１は安定性に富み、耐震、耐風雨性能に優れている。
【００２９】
なお、本発明は、両側の破風に葺設した全幅・半幅袖瓦１・１−１の立ち上がり部５の内方に全幅・半幅平板瓦１０・１０−１が葺き詰められる構成であり、屋根Ｒの桁行き方向が規制されることにより、全幅・半幅平板瓦１０・１０−１の横ズレ防止等に有効であること、また地割りの容易化にも寄与すること等の利点がある。また、全幅・半幅袖瓦１・１−１に形成した垂れ部３及び立ち上がり部５により、錣状に葺き上げられた全幅・半幅平板瓦１０・１０−１及び／又は全幅・半幅袖瓦１・１−１の破風側端面が隠蔽されることから、破風側の美観の向上と、葺き合わせ部からの風雨の吹き込み防止等が図られる。また、破風側面を全幅・半幅袖瓦１・１−１の垂れ部３及び立ち上がり部５が略帯状に覆うことから、屋根Ｒの端正な美しさと、流れ面の変化等を楽しめる特徴がある。そして、この一例では、全て工場生産の半幅袖瓦１−１及び／又は半幅平板瓦１０−１を採用しており、施工現場での端材・切り屑等の発生がない特徴がある。
【図面の簡単な説明】
【００３０】
【図１−１】錣状に葺設した屋根の妻側から見た縮尺断面図Ａ工法を示す
【図１−２】錣状に葺設した屋根の妻側から見た縮尺断面図Ｂ工法を示す
【図２】図１−２を略正面視した斜視図
【図３】図２の側面視した斜視図
【図４】全幅袖瓦の平面図
【図５】全幅袖瓦の裏面図
【図６】全幅袖瓦を一方側より見た斜視図
【図７】全幅袖瓦を他方側より見た斜視図
【図８】全幅平板瓦の平面図
【図９】全幅平板瓦の裏面図
【図１０】全幅平板瓦を一方側より見た斜視図
【図１１】全幅平板瓦を他方側より見た斜視図
【図１２】破風に半幅袖瓦と全幅平板瓦を錣状に葺設した略正面視した縮尺俯瞰図
【図１３】破風に全幅袖瓦と半幅及び全幅平板瓦を錣状に葺設した略正面視した縮尺俯瞰図
【符号の説明】
【００３１】
１          全幅袖瓦
１−１      半幅袖瓦
１００      表面
１０１      裏面
２          本体部
２−１      本体部
２ａ        一方側端
２ｂ        頭側
２ｃ        尻側
２０        棟瓦
３          垂れ部
４          葺き合わせ重なり代に対応する切り欠き部
５          立ち上がり部
５ａ        内面
６          釘孔
７          横棧安定凹部
８          水返し突条
９          係止突条
１０        全幅平板瓦
１０−１    半幅平板瓦
１０００    表面
１００１    裏面
６００      釘孔
７００      横棧安定凹部
８００      水返し突条
９００      係止突条
２０        棟瓦
Ｒ          屋根
Ｒ１        破風
Ｒ２        軒端
Ｒ３        軒側端ライン
Ｒ４        横棧
Ｗ          働き丈
Ｘ          葺き合わせ重なり代
Ｙ          有効きき丈
Ｚ          有効全幅
１０Ｚ      有効全幅
Ｚ−１      有効半幅
【図１−１】
2005220701.tif 000003
【図１−２】
2005220701.tif 000004
【図２】
2005220701.tif 000005
【図３】
2005220701.tif 000006
【図４】
2005220701.tif 000007
【図５】
2005220701.tif 000008
【図６】
2005220701.tif 000009
【図７】
2005220701.tif 000010
【図８】
2005220701.tif 000011
【図９】
2005220701.tif 000012
【図１０】
2005220701.tif 000013
【図１１】
2005220701.tif 000014
【図１２】
2005220701.tif 000015
【図１３】
2005220701.tif 000016